(57)【特許請求の範囲】
【請求項１】
正面板部（１）の一側に左側面板部（３）、他側に右側面板部（４）と背面板部（２）を連設し、背面板部（２）の側端には糊代（８）を連設するとともに、正面板部（１）の上端縁と背面板部（２）の下端縁にそれぞれ先端に差込み片（６）が延設された開閉板部（５）を連設し、左右側面板部（３、４）の上下端縁にそれぞれ折込み片（７）を連設し、各板部（１、２、３、４、５）、差込み片（６）、折込み片（７）及び糊代（８）間に折曲線（１０、１０ａ）を設けて打ち抜き形出されたプラスチックシートを、
正面板部（１）と左側面板部（３）は平坦状のままとして当該両面板部（１、３）の外側の折曲線（１０、１０）で背面板部（２）と右側面板部（４）を折り曲げて正面板部（１）と左側面板部（３）とに重ね合わせる一方、糊代（８）を背面板部（２）との間の折曲線（１０ａ）で折り曲げ内折れさせて折曲線（１０ａ）に曲げ癖を付与した後、糊代（８）を右側面板部（４）の側端部に接着することにより、ケースに組み立てられる前の二つ折り状態の包装用プラスチックシートを得ることを特徴とする包装用プラスチックシートの形成方法。
【発明の詳細な説明】
【０００１】
【発明の属する技術分野】
本発明は、化粧品、菓子類、その他の適宜物品を収納するのに好便なプラスチックケースとなし得る打ち抜きにより形出可能な包装用プラスチックシートに関する。
【０００２】
【従来の技術】
商品を収納したプラスチックケースは、商品を保護しつつ見栄えよく展示するために、適度な強度（剛性）を有し、透明度の高いプラスチックシート、例えばポリエチレンテレフタレート（ＰＥＴ）、ポリプロピレン（ＰＰ）、特にアモルファスポリエチレンテレフタレート（Ａ−ＰＥＴ）などによって成形されたシートを打ち抜き形出した上、一部を貼り合わせをして作られている。
このシートは、例えば図３に示すごとく、正面板部５１、その両側の左右側面板部５３，５４、右側面板部他側の背面板部５２、その一側の糊代５５を、それぞれ折曲線５６を介して連設し、正面板部５１と右側面板部５３とを平坦状とし、左側面板部５４を折返して正面板部５１に重合し、背面板部５２を折返して糊代５５と共に平坦状とし、糊代５５を左側面板部５４に接着して二つ折り状態の包装用プラスチックシートとして形成しており、これが多数枚積層保管され、ユーザー（食品会社等のプラスチックケース使用者）に提供されていた。
この包装用プラスチックシートは、自動製函機によってプラスチックケースに組み立てられた後、商品を収納し、商品販売の用に供されている。
ケース組み立ては、自動製函機で、先ず上記二つ折り状態の包装用プラスチックシートの片面（下面）を吸盤Ｐで吸い付け、次いでケース寸法に合わせたガイドＧ，Ｇ間に移動させ、狭まるガイドにより当該シートを左右両側から押圧して折曲線を折曲させ、板部を起こして立体化し、箱形となるようにしていた。
【０００３】
【発明が解決しようとする課題】
しかしながら、平坦状となった二つ折り状態の包装用プラスチックシートは、正面板部５１側と背面板部５２側とが密着して重合している上に、吸盤Ｐで一方向に吸い付けているために、板部が箱状に開口できず、左右両側からの押圧を受けて、左右寄りの板部が図３のごとく一体的に上方に反り、シート全体が密着したまま湾曲してしまうトラブルが発生することがあった。発生率は数％とも言われている。
本発明は、このような箱形に成形できないトラブルを発生させることなく、確実な箱形成を可能にしたプラスチックケースとするための打ち抜きにより形出可能な包装用プラスチックシートを提供せんとするものである。
【０００４】
【課題を解決するための手段】
上記課題を解決するために、本発明の包装用プラスチックシートの形成方法は、正面板部の一側に左側面板部、他側に右側面板部と背面板部を連設し、背面板部の側端には糊代を連設するとともに、正面板部の上端縁と背面板部の下端縁にそれぞれ先端に差込み片が延設された開閉板部を連設し、左右側面板部の上下端縁にそれぞれ折込み片を連設し、各板部、差込み片、折込み片及び糊代間に折曲線を設けて打ち抜き形出されたプラスチックシートを、正面板部と左側面板部は平坦状のままとして当該両面板部の外側の折曲線で背面板部と右側面板部を折り曲げて正面板部と左側面板部とに重ね合わせる一方、糊代を背面板部との間の折曲線で折り曲げ内折れさせて折曲線に曲げ癖を付与した後、糊代を右側面板部の側端部に接着することにより、ケースに組み立てられる前の二つ折り状態の包装用プラスチックシートを得ることを特徴とする。
【０００５】
上記構成による包装用プラスチックシートは、糊代を連設した折曲線に付与された曲げ癖により、静置状態において、中間部に折曲線が形成された二つ折り状態の一方の面が他面に対して中間部ほど浮き上がり、広い隙間を形成するように作用することになるので、自動製函機のガイドなどによってシート両側が押圧されれば、隙間が一層広がるように二つ折り状態のシートが開口していき、確実に箱形が作られることになる。
【０００６】
【発明の実施の形態】
以下、本発明を一実施例として示した図面によって説明する。
図１はプラスチックシートの一例を示す展開正面図、図２はその二つ折り状態と箱形成状態を示している。
【０００７】
図１のプラスチックシートは、正面板部１の両側に左右側面板部３，４及び背面板部２をそれぞれ折曲線１０を介して連設すると共に、正面板部１の上端縁及び背面板部２の下端縁から折曲線１０を介してそれぞれに開閉板部５を連設し、その先端に折曲線１０を介してそれぞれに差込み片６を延設し、左右側面板部３，４の上下端縁から折曲線１０を介してそれぞれに折込み片７を延設し、背面板部２の開放側の側端に折曲線１０ａを介して糊代８を形成してある。
開閉板部５と差込み片６との間は、左右両側部から内方に切込み９を形成し、この切込み９はその内端部が若干開閉板部内方に向かうように折曲して形成し、或いは図示していないが外端から内端に向かって内傾斜状態に形成し、両切込み９，９の内端間に折曲線１０を形成してある。
【０００８】
而して、正面板部１と左側面板部３とは平坦状のままとし、これらに両外側の折曲線１０、１０で右側面板部４と背面板部２を折曲して、右側面板部４と背面板部２を正面板部１と左側面板部３に重合させる一方、糊代８と背面板部２との間に形成した折曲線１０ａで糊代８を折曲し内折れさせて、この折曲線１０ａに曲げ癖を付与し、その上で糊代８を右側面板部４の開放側の側端部に接着し、図２（Ａ）に示す二つ折り状態の包装用プラスチックシートを形成する。
曲げ癖が付与された折曲線１０ａは、背面板部２と右側面板部４の間、すなわち二つ折り状態の一方の面内の中間部に位置することになり、曲げ癖による応力がシートに残存するので、二つ折り状態の一方の面の中間部を対向する他方の面から離隔する方向に適度な付勢を与えることになる。この包装用プラスチックシートを両側から押圧すれば、図２（Ｂ）のように確実に開口して箱組み立てが行える。
【０００９】
折曲線１０ａの曲げ癖は、接着前の曲げ癖付与状態で、背面板部２の延長面に対して糊代８が角度５〜４５度前後の折曲状態となるようにするのが好ましい。上記曲げ癖の角度には特に限定はないが、二つ折り状態において重合する両面間に若干の隙間が維持され得るように付与する。
０．３ｍｍ厚Ａ−ＰＥＴシートで約１５度の曲げ癖を付与して糊代を接着した二つ折り状態の包装用プラスチックシートの中間部には、約５ｍｍの隙間が形成された。この包装用プラスチックシートを用いて自動製函機で箱組み立てを行ったところ、１万個組み立て中、トラブル発生は０であった。
これに対し、曲げ癖を付与しない状態で糊代を接着した包装用プラスチックシートを用いて同一自動製函機で箱組み立てを行ったところ、１万個中、３％が反り返って箱組み立て不能のトラブルを引き起こした。
【００１０】
なお上記において、組立てたケースの向きは任意であり、直方体、立方体の形態、多角形の角数も任意であり、いずれの面が正面となってもよい。また、正面板部、背面板部のいずれから開閉板部を連設してもよく、また、上下両側の開閉板部の形態を互いに異なる形態とし、或いは、各板部、各片を図示とは異なる形態として形成してもよいものである。
また、折曲線１０，１０ａは、Ｖ字溝、台形溝、Ｕ字溝或いは凹凸繰返し溝など任意溝形とし、断続筋或いは連続筋のいずれでもよく、ミシン目状としてもよい。
【００１１】
【発明の効果】
このようにして、本発明によれば、平坦状の二つ折り状態の包装用プラスチックシートであっても、その中間部において一方の面が他方の面から離隔する方向の適度な付勢が与えられたものとして提供され、両側からの軽い押圧によって確実に開口し、箱組み立てが容易かつ確実に行えるものとなる。この包装用プラスチックシートは糊代を折曲して折曲線に折り癖を付与するだけで、成形効率に特段の負担を与えることなく、また、収納、運搬状態において何ら嵩張ることなく積層が可能であり、使用の利便性を向上させることができる。
【図面の簡単な説明】
【図１】一例としての包装用プラスチックシートの展開正面図である。
【図２】図１のシートを二つ折り状態とした本発明に係る包装用プラスチックシートの断面状態図であり、（Ａ）は二つ折り状態図、（Ｂ）は箱組み立て過程図。
【図３】図２と対比する従来のプラスチックケ−スの断面状態図である。
【符号の説明】
１        正面板部
２        背面板部
３，４    左右側面板部
５        開閉板部
６        差込み片
７        折込み片
８        糊代
９        切込み
１０，１０ａ    折曲線
【図１】
0003996310.tif 000002
【図２】
0003996310.tif 000003
【図３】
0003996310.tif 000004